(57)【要約】      （修正有）【課題】モータのオーバーロードによる焼損を防止することができるオーバーロード防止機能付き回転式電動睫毛ブラシを提供する。【解決手段】軸穴が設けられる本体１を含み、本体は軸穴と連通する収容空間を有し、軸穴にブラシロッド１５が挿入され、ブラシロッドが本体に対して回動可能であり、ブラシロッドに睫毛ブラシ用毛１５４が設けられ、収容空間には、ブラシロッドと連接するモータと、電流遮断集積回路と、電源ユニットとが収容され、モータの駆動によりブラシロッドが回転可能であり、モータと電流遮断集積回路と電源ユニットを直列接続することにより電流回路が形成され、電流遮断集積回路が電流回路をオン/オフすることができる。【選択図】図１
0003158324.tif 000002
【実用新案登録請求の範囲】
【請求項１】
軸穴が設けられる本体を含み、前記本体は前記軸穴と連通する収容空間を有し、前記軸穴にブラシロッドが挿入され、前記ブラシロッドが前記本体に対して回動可能であり、前記ブラシロッドに睫毛ブラシ用毛が設けられ、前記収容空間には、前記ブラシロッドと連接するモータと、電流遮断集積回路と、電源ユニットと、が収容され、前記モータの駆動により前記ブラシロッドが回転可能であり、前記モータと前記電流遮断集積回路と前記電源ユニットを直列接続することにより電流回路が形成され、前記電流遮断集積回路が前記電流回路をオン/オフすることができることを特徴とする、オーバーロード防止機能付き回転式電動睫毛ブラシ。
【請求項２】
前記電流遮断集積回路に安全電流値が予め設定され、前記電流回路における電流値が前記安全電流値を超えるときには、前記電流遮断集積回路により前記電流回路の電流が遮断されることを特徴とする、請求項１に記載のオーバーロード防止機能付き回転式電動睫毛ブラシ。
【請求項３】
前記電流遮断集積回路に安全稼動時間値が予め設定され、前記電流回路において、電流が連続に流れる時間を稼動時間とし、前記稼動時間が前記安全稼動時間値を超えるときには、前記電流遮断集積回路により前記電流回路の電流が遮断されることを特徴とする、請求項１に記載のオーバーロード防止機能付き回転式電動睫毛ブラシ。
【請求項４】
前記本体には、更に、スイッチが設けられ、前記スイッチは、前記モータ、前記電流遮断集積回路および前記電源ユニットと直列接続し、前記スイッチが前記電流回路をオン/オフすることができることを特徴とする、請求項１、２又は３に記載のオーバーロード防止機能付き回転式電動睫毛ブラシ。
【請求項５】
更に、ビンを含み、前記ビンは、液体貯蔵チェンバーと、前記液体貯蔵チェンバーと連通する開口と、を有し、前記ブラシロッドは前記開口から前記液体貯蔵チェンバーに挿入可能であることを特徴とする、請求項４に記載のオーバーロード防止機能付き回転式電動睫毛ブラシ。
【考案の詳細な説明】
【技術分野】
【０００１】
本考案は、電動睫毛ブラシに係り、特に、オーバーロード防止機能付き回転式電動睫毛ブラシに関するものである。
【背景技術】
【０００２】
従来の電動睫毛ブラシには、睫毛ブラシを回転するモータが組み付けられ、マスカラを収容するビンに睫毛ブラシを挿入するときには、マスカラの粘度が高いため、睫毛ブラシの回転が困難になり、このとき、モータの電源を切るのを忘れ、モータが持続に回転すると、モータがオーバーロードになって焼損する可能性がある。
【考案の概要】
【考案が解決しようとする課題】
【０００３】
本考案の主な目的は、モータのオーバーロードによる焼損を防止することができるオーバーロード防止機能付き回転式電動睫毛ブラシを提供することにある。
【課題を解決するための手段】
【０００４】
本考案のオーバーロード防止機能付き回転式電動睫毛ブラシによると、軸穴が設けられる本体を含み、前記本体は前記軸穴と連通する収容空間を有し、前記軸穴にブラシロッドが挿入され、前記ブラシロッドが前記本体に対して回動可能であり、前記ブラシロッドに睫毛ブラシ用毛が設けられ、前記収容空間には、前記ブラシロッドと連接するモータと、電流遮断集積回路と、電源ユニットと、が収容され、前記モータの駆動により前記ブラシロッドが回転可能であり、前記モータと前記電流遮断集積回路と前記電源ユニットを直列接続することにより電流回路が形成され、前記電流遮断集積回路が前記電流回路をオン/オフすることができることを特徴とする。
【０００５】
本考案のオーバーロード防止機能付き回転式電動睫毛ブラシによると、  前記電流遮断集積回路に安全電流値が予め設定され、前記電流回路における電流値が前記安全電流値を超えるときには、前記電流遮断集積回路により前記電流回路の電流が遮断されることを特徴とする。
【０００６】
本考案のオーバーロード防止機能付き回転式電動睫毛ブラシによると、前記電流遮断集積回路に安全稼動時間値が予め設定され、前記電流回路において、電流が連続に流れる時間を稼動時間とし、前記稼動時間が前記安全稼動時間値を超えるときには、前記電流遮断集積回路により前記電流回路の電流が遮断されることを特徴とする。
【０００７】
本考案のオーバーロード防止機能付き回転式電動睫毛ブラシによると、前記本体には、更に、スイッチが設けられ、前記スイッチは、前記モータ、前記電流遮断集積回路および前記電源ユニットと直列接続し、前記スイッチが前記電流回路をオン/オフすることができることを特徴とする。
【０００８】
本考案のオーバーロード防止機能付き回転式電動睫毛ブラシによると、更に、ビンを含み、前記ビンは、液体貯蔵チェンバーと、前記液体貯蔵チェンバーと連通する開口と、を有し、前記ブラシロッドは前記開口から前記液体貯蔵チェンバーに挿入可能であることを特徴とする。
【考案の効果】
【０００９】
本考案のオーバーロード防止機能付き回転式電動睫毛ブラシによれば、モータのオーバーロードによる焼損を防止することができるという効果を有する。
【図面の簡単な説明】
【００１０】
【図１】本考案の一実施形態のオーバーロード防止機能付き回転式電動睫毛ブラシの組合済み状態の透視図である。
【図２】本考案の一実施形態のオーバーロード防止機能付き回転式電動睫毛ブラシの分解斜視図である。
【考案を実施するための形態】
【００１１】
以下、本考案の実施の形態を図面に基づいて説明する。
まず、図１を参照する。本考案の一実施形態のオーバーロード防止機能付き回転式電動睫毛ブラシは、本体１と、ビン２と、を含む。
【００１２】
図２を参照する。ビン２は、液体貯蔵チェンバーと、前記液体貯蔵チェンバーと連通する開口２１と、を有し、ビン２はマスカラなどの化粧用品を収容することができる。
【００１３】
図１に示すように、ビン２に本体１を被せるときには、開口２１が封止される。本体１は、第１ケース１１と、第２ケース１２と、内ケース１３と、蓋１４と、を含む。第１ケース１１の一端に第２ケース１２が回動可能に設けられ、第１ケース１１の他端に開口が設けられ、前記開口と第１ケース１１と第２ケース１２から収容空間が構成され、内ケース１３と蓋１４が前記収容空間に収容され、内ケース１３が蓋１４と第２ケース１２の間に位置し、蓋１４に軸穴１４１が設けられる。軸穴１４１にブラシロッド１５が貫入され、ブラシロッド１５が本体１に対して回動可能であり、ブラシロッド１５の第１端１５１が収容空間に収容され、ブラシロッド１５の第１端１５１に非円形穴１５２が設けられ、ブラシロッド１５の第２端１５３が本体１から離れる方向に伸び、ブラシロッド１５の第２端１５３に睫毛ブラシ用毛１５４が設けられる。蓋１４の前記収容空間から遠ざかった一側に洩止具１６が設けられ、ビン２に本体１を被せるときに、洩止具１６により開口２１と軸穴１４１の間が塞がれ、そうすると、ビン２内に収容される化粧用品の、開口２１外、又は軸穴１４１内への漏れを防止することができる。
【００１４】
内ケース１３には、更に、電源ユニット１３１と、スイッチ１３２と、電流遮断集積回路１３３と、モータ１３４と、が設けられ、これにより、互いに直列接続する電源ユニット１３１とスイッチ１３２と電流遮断集積回路１３３とモータ１３４は、収容空間に収容され、電流回路を形成する。前記電流回路がオン状態にあるときには、電源ユニット１３１からの電力により、モータ１３４が回転し、モータ１３４には、非円形穴１５２と係合する非円形軸１３５が設けられ、これにより、モータ１３４がブラシロッド１５と連動し、すなわち、ブラシロッド１５がモータ１３４に駆動されて回転することができる。しかし、ブラシロッド１５とモータ１３４の連結は、粘着またはギア噛合などの方法を採用してもよい。
【００１５】
スイッチ１３２には、第２ケース１２に当接する切替ピン１３６が設けられ、第２ケース１２が旋回されるときに、切替ピン１３６が左方または右方に切り替えられる。スイッチ１３２をオフ位置に切り替えるときに、前記電流回路がオフ状態になり、なお、スイッチ１３２を右位置または左位置に切り替えるときに、前記電流回路がオン状態になり、スイッチ１３２を右位置に切り替えるときのモータの回転方向は、スイッチ１３２を左位置に切り替えるときのモータの回転方向と逆する。別の実施例では、第２ケース１２に貫通孔が設けられ、切替ピン１３６が前記貫通孔を挿通して外部に突出し、そうすると、ユーザは切替ピン１３６を直接に切替可能である。
【００１６】
電流遮断集積回路１３３は、その内部の設定によって前記電流回路をオン/オフすることができる。電流遮断集積回路１３３の第１実施例では、電流遮断集積回路１３３に安全電流値が予め設定され、電流遮断集積回路１３３が、前記電流回路における電流値が前記安全電流値を超えると判断したときには、電流遮断集積回路１３３により前記電流回路の電流が遮断される。電流遮断集積回路１３３の第２実施例では、電流遮断集積回路１３３に安全稼動時間値が予め設定され、前記電流回路において、電流が連続に流れる時間を稼動時間とし、前記稼動時間が前記安全稼動時間値を超えるときには、電流遮断集積回路１３３により前記電流回路の電流が遮断される。又は、電流遮断集積回路１３３に、上記の二つの実施例の操作条件を同時に設けてもいいし、前記電流回路の電流を遮断する他の操作条件を設けてもよい。
【００１７】
このように、スイッチ１３２と電流遮断集積回路１３３のうちの何れかの一つにより、前記電流回路の電流を遮断することができる。図１に示すように、本考案のオーバーロード防止機能付き回転式電動睫毛ブラシを使用しない場合には、ビン２に本体１を被せるときに、ブラシロッド１５が開口２１から液体貯蔵チェンバーに挿入し、ブラシロッド１５の第２端１５３または睫毛ブラシ用毛１５４で液体貯蔵チェンバー内にある化粧用品を付けることができる。本考案のオーバーロード防止機能付き回転式電動睫毛ブラシを使用したいときには、スイッチ１３２をオンにしてビン２から本体１を分離し、このとき、前記電流回路がオン状態になり、モータ１３４が起動し、モータ１３４の駆動によりブラシロッド１５が回転する。
【００１８】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００１９】
本考案は、電動睫毛ブラシに適用することができる。
【符号の説明】
【００２０】
１        本体
２        ビン
１１      第１ケース
１２      第２ケース
１３      内ケース
１４      蓋
１５      ブラシロッド
１６      洩止具
２１      開口
１３１    電源ユニット
１３２    スイッチ
１３３    電流遮断集積回路
１３４    モータ
１３５    非円形軸
１３６    切替ピン
１４１    軸穴
１５１    第１端
１５２    非円形穴
１５３    第２端
１５４    睫毛ブラシ用毛
【図１】
0003158324.tif 000003
【図２】
0003158324.tif 000004